(57)【要約】【課題】  箱内に残存した缶容器の飛び出しを防止できるストッパを構成するようにした自動販売機用のラップアラウンド包装箱を提供することを課題とする。【解決手段】  内フラップと外フラップとにより封緘された少なくとも一方の面の内フラップと外フラップの夫々の隅部近傍に凹部又は凸部を設ける。前記内外両フラップで封緘した面を開封した状態から前記内外両フラップを箱内に折り込むことにより、前記凹部又は凸部が互いに噛み合ってフラップの戻りを防ぎながら箱の開口を縮小し、残存した商品である缶容器が箱の開口から脱出するのを防ぐようにする。【選択図】図６
0003148895.tif 000002
【実用新案登録請求の範囲】
【請求項１】
対向するトップパネルとボトムパネル及び対向する左右のサイドパネルを連設して商品である缶容器を包み込み、サイドパネルから延びる内フラップに、トップパネルとボトムパネルから延びる外フラップを貼り合わせて封緘する段ボール製ラップアラウンド包装箱において、
内フラップと外フラップとにより封緘された少なくとも一方の面の内フラップと外フラップの夫々の隅部近傍に凹部又は凸部を設けると共に、前記内外両フラップで封緘した面を開封した状態から前記内外両フラップを箱内に折り込むことにより、前記凹部又は凸部が互いに噛み合ってフラップの戻りを防ぎながら箱の開口を縮小し、残存した商品である缶容器が箱の開口から脱出するのを防ぐストッパとして機能させるようにしたことを特徴とする自動販売機用ラップアラウンド包装箱。
【考案の詳細な説明】
【技術分野】
【０００１】
この考案は、ラップアラウンド包装箱に係り、特に自動販売機用の飲料等を輸送するときに使用する商品の飛び出し防止機能付きラップアラウンド包装箱に関するものである。
【背景技術】
【０００２】
ジュース、コーヒー、清涼飲料等の缶容器をまとめて輸送保管をするには、段ボール製のラップアラウンド包装箱に収容して包装することが行われている。また、包装箱から飲料の缶容器を取出すときは、包装の際に接着剤により閉止された蓋である、内フラップと外フラップとを開封して、当該包装箱に収容された缶容器を取出す作業を行っている（特許文献１）。
【０００３】
一般に配送車で自動販売機を巡回し、商品補充や機械のメンテナンス等を行うルートセールス時において、作業員は、包装箱開封後、自動販売機に不足している商品（缶容器）を包装箱から取り出し、残存した商品である缶容器は箱内に保管をすることが多かった。
【特許文献１】特開２００６−７６５８８号公報
【考案の開示】
【考案が解決しようとする課題】
【０００４】
しかしながら、上記のように開封した包装箱内に保管をした商品の缶容器は、蓋であるところの内フラップと外フラップとが開いたままの開封状態であるので、車の振動等により箱から飛び出してしまうことが多いという問題があった。
【０００５】
そこで本考案は、包装箱開封後において、開封した内フラップと外フラップとを箱内に折り込むと内外両フラップが互いに係合して、箱内に残存した商品である缶容器の飛び出しを防止できるストッパを構成するようにした自動販売機用のラップアラウンド包装箱を提供することを課題とする。
【課題を解決するための手段】
【０００６】
上記課題を解決するため、この考案は、
対向するトップパネルとボトムパネル及び対向する左右のサイドパネルを連設して商品である缶容器を包み込み、サイドパネルから延びる内フラップに、トップパネルとボトムパネルから延びる外フラップを貼り合わせて封緘する段ボール製ラップアラウンド包装箱において、
内フラップと外フラップとにより封緘された少なくとも一方の面の内フラップと外フラップの夫々の隅部近傍に凹部又は凸部を設けると共に、前記内外両フラップで封緘した面を開封した状態から前記内外両フラップを箱内に折り込むことにより、前記凹部又は凸部が互いに噛み合ってフラップの戻りを防ぎながら箱の開口を縮小し、残存した商品である缶容器が箱の開口から脱出するのを防ぐストッパとして機能させるようにしたことを特徴とするものである。
【考案の効果】
【０００７】
この考案のラップアラウンド包装箱は、飲料等の自動販売機に不足している商品をラップアラウンド包装箱から取り出し、残存した商品である缶容器を箱内に保管をするに際し、内外両フラップで封緘した面を開封した状態から前記内外両フラップを箱内に折り込むことで前記凹部又は凸部を互いに噛み合せてフラップの戻りを防いで箱の開口を縮小し、残存した商品である缶容器が箱の開口から脱出するのを防ぐことができる。
【０００８】
又、本考案のラップアラウンド包装箱は、一方の面の内フラップと外フラップの夫々の隅部近傍に小さい凹部又は凸部を設けるだけであるから、通常のラップラウンド包装箱と同等のコストでラップラウンド製函機により製造が可能である。
【考案を実施するための最良の形態】
【０００９】
以下、図面を参照して本考案の実施の形態を説明する。
図１は本考案のラップアラウンド包装箱の組み立て状態の斜視図であり、図２は段ボールを材料として形成された箱ブランクの展開図である。
このブランクでは、トップパネル１の一側にサイドパネル２、ボトムパネル３、サイドパネル２及び継代４を連設され、サイドパネル２の上下に内フラップ6が、トップパネル１とボトムパネル３の上下に外フラップ５が夫々連設されている。
【００１０】
図２のように、前記箱ブランクにおいて、上下いずれか一方の側の外フラップ５と内フラップ６の夫々の隅部近傍には、箱の開封後に外フラップ５と内フラップを箱内に折り込んだときに互いに引っ掛かるように、凹部7又は凸部８を設ける。
【００１１】
このようなブランクを組み立てて飲料の缶容器を包装する際は、図１のように、定法通り、トップパネル１、一対のサイドパネル２及びボトムパネル３を角筒状に折り曲げ、継代４をトップパネル１に貼り付けて角筒状に胴壁を形成し、サイドパネルから延びる内フラップ６に、トップパネル１とボトムパネル３から延びる外フラップ５を折り曲げて貼り合わせる。
【００１２】
一方、前述のようにルートセールス時において、自動販売機に不足している商品（缶容器）を包装箱から取り出す場合は、トップパネル１とボトムパネル３の上端に繋がっている外フラップ５と内フラップ６との貼合部を引き剥がして図３のように開封する。このように開封すると隙間なく包装された飲料缶Ｇを容易に取出すことができる。
【００１３】
また、残存した商品（缶容器）をこの包装箱に保存しておくときは、前述のように内フラップ６と外フラップ５に指をかけ、図４のように内外両フラップで封緘した面を開封した状態から、前記内外両フラップを箱内に折り込みようにすると、外フラップ５と内フラップ６の夫々の隅部近傍に設けられた凹部８又は凸部７が互いに引っ掛かることでフラップの戻りを防ぐように固定されることとなる。
その結果、箱の開口を縮小し、残存した商品である缶容器が箱の開口から飛び出すのを防ぐことができるストッパとして働くことになる（図５）。
【００１４】
以上のように、本考案は開封したフラップをケースの内側に折り込み、それらフラップの縁を互いに係止させることにより、すり鉢状に保持することができる。このようにすることにより、接着テープなどを使用することなく、ケースの開口部を開封した状態から再度開口を縮小した状態に保つことができる。したがって、残存した商品である缶容器を箱内に保管をするに際し、缶容器が箱の開口から飛び出し散逸するのを効果的に防ぐことができる。
【図面の簡単な説明】
【００１５】
【図１】本考案のラップアラウンド包装箱の組み立て状態の斜視図である。
【図２】段ボールを材料として形成された箱ブランクの展開図である。
【図３】図１の包装箱の開封状態を示す斜視図である。
【図４】内フラップと外フラップの折込前の説明図である。
【図５】内フラップと外フラップの折り込み状態を示す説明図である。
【図６】缶容器が箱の開口から飛び出すことを防止する機能を説明ずるための図である。
【符号の説明】
【００１６】
１  トップパネル
２  サイドパネル
３  ボトムパネル
４  継代
５  外フラップ
６  内フラップ
７  凹部
８  凸部
Ｇ  缶容器
【図１】
0003148895.tif 000003
【図２】
0003148895.tif 000004
【図３】
0003148895.tif 000005
【図４】
0003148895.tif 000006
【図５】
0003148895.tif 000007
【図６】
0003148895.tif 000008